(57)【要約】【課題】導光部材を有する画像センサを対向配置させた画像読取装置であって、装置の小型化と媒体の画像の適切な読取が可能な画像読取装置を提供すること。【解決手段】画像読取装置１は、搬送路３を夾んで対向配置される第１画像センサ５および第２画像センサ６を備えている。第１画像センサ５を構成する第１導光部材１２は、第２画像センサ６を構成する第２導光部材２２から出射される拡散光の出射方向に配置され、第２導光部材２２は、第１導光部材１２から出射される拡散光の出射方向に配置されている。また、第１画像センサ５は、第２導光部材２２から第１導光部材１２へ向かう拡散光の光路上に配置される第１反射防止部１５を備え、第２画像センサ６は、第１導光部材１２から第２導光部材２２へ向かう拡散光の光路上に配置される第２反射防止部１６を備えている。【選択図】図１
2008135903.tif 000002
【特許請求の範囲】
【請求項１】
媒体が搬送される搬送路と、前記搬送路を夾んで対向配置される第１画像センサおよび第２画像センサとを備える画像読取装置において、
前記第１画像センサは、第１光源と、前記第１光源からの光を拡散反射させ、拡散反射させた拡散光を前記媒体に向かって出射する第１導光部材と、前記第１導光部材から出射され、前記媒体で反射された反射光を受光する第１受光素子とを備え、
前記第２画像センサは、第２光源と、前記第２光源からの光を拡散反射させ、拡散反射させた拡散光を前記媒体に向かって出射する第２導光部材と、前記第２導光部材から出射され、前記媒体で反射された反射光を受光する第２受光素子とを備え、
前記第１導光部材は、前記第２導光部材から出射される拡散光の出射方向に配置され、前記第２導光部材は、前記第１導光部材から出射される拡散光の出射方向に配置され、
前記第１画像センサはさらに、前記第２導光部材から前記第１導光部材へ向かう拡散光の光路上に配置される第１反射防止部を備え、前記第２画像センサはさらに、前記第１導光部材から前記第２導光部材へ向かう拡散光の光路上に配置される第２反射防止部を備えることを特徴とする画像読取装置。
【請求項２】
前記第１導光部材は、前記第１光源からの光が入射される第１入射部と拡散光を出射する第１出射部とを備え、前記第２導光部材は、前記第２光源からの光が入射される第２入射部と拡散光を出射する第２出射部とを備え、前記第１導光部材の前記第１入射部と前記第１出射部とを除く表面は白色であり、前記第２導光部材の前記第２入射部と前記第２出射部とを除く表面は白色であることを特徴とする請求項１記載の画像読取装置。
【請求項３】
前記第１反射防止部および前記第２反射防止部は、黒色のシート状部材であることを特徴とする請求項１または２記載の画像読取装置。
【請求項４】
前記第１画像センサは、前記第１導光部材から出射される拡散光および前記第１受光素子へ向かう前記媒体での反射光を透過する第１透光部材を備え、前記第１反射防止部は、前記第１導光部材に対向配置され、前記第１透光部材を固定する第１固定部であり、
前記第２画像センサは、前記第２導光部材から出射される拡散光および前記第２受光素子へ向かう前記媒体での反射光を透過する第２透光部材を備え、前記第２反射防止部は、前記第２導光部材に対向配置され、前記第２透光部材を固定する第２固定部であることを特徴とする請求項１または２記載の画像読取装置。
【発明の詳細な説明】
【技術分野】
【０００１】
本発明は、媒体の画像を読み取る画像読取装置に関する。
【背景技術】
【０００２】
従来から、媒体の画像を読み取る画像読取装置として、紙原稿を挟んで対向する位置に、一対の画像センサ（イメージセンサ）を配置して、一度の原稿送りで紙原稿の両面の画像を読み取る画像読取装置が知られている（たとえば、特許文献１参照）。この特許文献１に記載の画像読取装置では、一対の画像センサはそれぞれ、紙原稿に向かって照明光を直接、照射する光源と、紙原稿で反射された反射光を受光する受光素子と、紙原稿から受光素子へ向かう反射光の光路上に配置されたレンズとを備えている。
【０００３】
この画像読取装置では、一方の画像センサが有する光源と、他方の画像センサが有するレンズおよび受光素子とが対向するように、一対の画像センサが配置されている。また、この画像読取装置では、一方の画像センサの光源の影響で、他方の画像センサの画像の読取に支障が生じないように、一方の画像センサの光源から他方の画像センサの受光素子へ向かう光を遮断する遮光部材が設けられている。そのため、この画像読取装置では、紙原稿の搬送方向において、装置の小型化を図りつつ、一度に紙原稿両面の画像を適切に読み取ることが可能になる。
【０００４】
また、画像センサとして、照明光を直接照射する光源を有する特許文献１に記載の画像センサの他に、ＬＥＤランプからの光を拡散反射（乱反射）させ、拡散反射させた光を光出射面から原稿に向かって出射する導光部材を有する画像センサが知られている（たとえば、特許文献２参照）。
【０００５】
【特許文献１】特開２００５−１９１７９５号公報
【特許文献２】特開平１０−１１２７８３号公報
【発明の開示】
【発明が解決しようとする課題】
【０００６】
上述のように、特許文献１には、照明光を直接照射する光源を有する画像センサを対向配置させた画像読取装置が開示されている。しかしながら、特許文献２に記載の導光部材を有する画像センサを対向配置させた画像読取装置の具体的な構成は、未だ提案されていない。
【０００７】
そこで、本発明の課題は、導光部材を有する画像センサを対向配置させた画像読取装置であって、装置の小型化と媒体の画像の適切な読取が可能な画像読取装置を提供することにある。
【課題を解決するための手段】
【０００８】
上記の課題を解決するため、本発明は、媒体が搬送される搬送路と、搬送路を夾んで対向配置される第１画像センサおよび第２画像センサとを備える画像読取装置において、第１画像センサは、第１光源と、第１光源からの光を拡散反射させ、拡散反射させた拡散光を媒体に向かって出射する第１導光部材と、第１導光部材から出射され、媒体で反射された反射光を受光する第１受光素子とを備え、第２画像センサは、第２光源と、第２光源からの光を拡散反射させ、拡散反射させた拡散光を媒体に向かって出射する第２導光部材と、第２導光部材から出射され、媒体で反射された反射光を受光する第２受光素子とを備え、第１導光部材は、第２導光部材から出射される拡散光の出射方向に配置され、第２導光部材は、第１導光部材から出射される拡散光の出射方向に配置され、第１画像センサはさらに、第２導光部材から第１導光部材へ向かう拡散光の光路上に配置される第１反射防止部を備え、第２画像センサはさらに、第１導光部材から第２導光部材へ向かう拡散光の光路上に配置される第２反射防止部を備えることを特徴とする。
【０００９】
本発明の画像読取装置では、第１導光部材が、第２導光部材から出射される拡散光の出射方向に配置され、第２導光部材が、第１導光部材から出射される拡散光の出射方向に配置されている。そのため、媒体で反射された反射光を受光する第２受光素子と第１導光部材とを対向配置させ、媒体で反射された反射光を受光する第１受光素子と第２導光部材とを対向配置させることが可能になる。その結果、本発明の画像読取装置では、装置の小型化を図ることが可能になる。
【００１０】
ここで、一般に、導光部材内部での光の拡散反射量を増加させて、導光部材が出射する拡散光の光量を確保するため、拡散光の出射部分等を除く導光部材の表面は、白色やクリーム色となっている。したがって、第２受光素子と第１導光部材とを対向配置させ、第１受光素子と第２導光部材とを対向配置させた場合、媒体の色が白色やクリーム色であると、第１導光部材から出射され第２導光部材で反射された拡散光や、第２導光部材から出射され第１導光部材で反射された拡散光の影響で、第１画像センサおよび第２画像センサで、媒体の端部を適切に検出することが困難となる。
【００１１】
本発明の画像読取装置では、第１画像センサは、第２導光部材から第１導光部材へ向かう拡散光の光路上に配置される第１反射防止部を備え、第２画像センサは、第１導光部材から第２導光部材へ向かう拡散光の光路上に配置される第２反射防止部を備えている。そのため、本発明では、媒体の色が白色やクリーム色であっても、第１画像センサおよび第２画像センサで、媒体の端部を適切に検出することが可能になる。すなわち、本発明では、媒体の画像を適切に読み取ることが可能になる。
【００１２】
本発明において、第１導光部材は、第１光源からの光が入射される第１入射部と拡散光を出射する第１出射部とを備え、第２導光部材は、第２光源からの光が入射される第２入射部と拡散光を出射する第２出射部とを備え、第１導光部材の第１入射部と第１出射部とを除く表面は白色であり、第２導光部材の第２入射部と第２出射部とを除く表面は白色であることが好ましい。このように構成すると、第１導光部材および第２導光部材内部での光の拡散反射量を増加させて、第１導光部材および第２導光部材が出射する拡散光の光量を確保することができる。
【００１３】
本発明において、第１反射防止部および第２反射防止部は、黒色のシート状部材であることが好ましい。このように構成すると、第２導光部材から第１導光部材へ向かう拡散光の光路上および第１導光部材から第２導光部材へ向かう拡散光の光路上にシート状部材を配置するといった簡易な構成で、媒体の画像の適切な読取が可能になる。また、シート状部材が黒色であるため、媒体の色が白色やクリーム色である場合には、媒体の端部をより明確に検出することができる。
【００１４】
本発明において、第１画像センサは、第１導光部材から出射される拡散光および第１受光素子へ向かう媒体での反射光を透過する第１透光部材を備え、第１反射防止部は、第１導光部材に対向配置され、第１透光部材を固定する第１固定部であり、第２画像センサは、第２導光部材から出射される拡散光および第２受光素子へ向かう媒体での反射光を透過する第２透光部材を備え、第２反射防止部は、第２導光部材に対向配置され、第２透光部材を固定する第２固定部であることが好ましい。このように構成すると、第１透光部材を固定する第１固定部および第２透光部材を固定する第２固定部を利用して、第１導光部材から出射された拡散光の第２導光部材での反射、および、第２導光部材から出射された拡散光の第１導光部材での反射を防止することができる。
【発明の効果】
【００１５】
以上のように、本発明にかかる画像読取装置では、装置の小型化と媒体の画像の適切な読取が可能になる。
【発明を実施するための最良の形態】
【００１６】
以下、本発明の実施の形態を図面に基づいて説明する。
【００１７】
（画像取込装置の概略構成）
図１は、本発明の実施の形態にかかる画像取込装置１の概略構成を側面から示す図である。図２は、図１に示す第１画像センサ５の内部の概略構成を上面から示す図である。図３は、図１に示す第１導光部材１２の内部構成を説明するための概念図である。
【００１８】
本形態の画像読取装置１は、ＩＤカードや免許証等の各種の媒体２に印刷された文字や記号、図形等（以下、画像とする。）を読み取るものである。本形態の画像読取装置１で読取が行われる媒体２は、主として下地が白色やクリーム色等をした白色系の媒体である。この画像読取装置１は、図１に示すように、媒体２を搬送するための搬送路３および複数の搬送ローラ組４と、媒体２の画像を読み取るための第１画像センサ５および第２画像センサ６とを備えている。本形態では、第１画像センサ５と第２画像センサ６とは、搬送路３を挟んだ状態で対向配置されており、媒体２の１回の搬送で、媒体２の両面の画像を読み取ることが可能になっている。
【００１９】
また、本形態の画像読取装置１で読取が行われる媒体２では、規格により定められた位置に画像が印刷されている。そのため、画像読取装置１は、画像を読み取る際に、媒体２の端部を基準として読み取った画像の所定範囲ごとの切出しを行う。そして、画像読取装置１は、切出し範囲ごとに画像等を識別して、読取データを作成し、この読取データを外部に出力している。
【００２０】
本形態では、たとえば、媒体２は、図１の左側から右側に向かって搬送される。そのため、以下では、図１の左右方向を「搬送方向」とする。また、図１の左側を「上流側」、図１の右側を「下流側」とする。さらに、以下では、媒体２の搬送方向に直交する図１の紙面垂直方向を「前後方向」とし、図１の上を「上」、図１の下を「下」とする。
【００２１】
図１に示すように、搬送ローラ組４は、搬送方向における第１画像センサ５および第２画像センサ６の外側に配置されている。また、本形態では、第１画像センサ５は、搬送路３の下側に配置され、第２画像センサ６は、搬送路３の上側に配置されている。
【００２２】
第１画像センサ５は、図１および図２に示すように、第１光源１１と、第１光源１１からの光を拡散反射させ、拡散反射させた拡散光を媒体２に向かって出射する第１導光部材１２と、第１導光部材１２から出射され、媒体２で反射された反射光を受光する複数の第１受光素子１３と、媒体２から第１受光素子１３へ向かう反射光の光路上に配置された複数の第１レンズ１４と、第１導光部材１２の上面に固定された第１反射防止部としての第１反射防止部材１５とを備えている。これらの各構成は、上面が開口する箱状の第１筐体１６の内部に収納されて固定されている。また、第１筐体１６の上面には、透明なガラスあるいは樹脂で板状に形成され、第１筐体１６の内部に配置される各構成を保護する第１カバー部材１７が取り付けられている。本形態では、第１カバー部材１７は、第１導光部材１２から出射される拡散光および第１受光素子１３へ向かう媒体２での反射光を透過する第１透光部材となっている。
【００２３】
第１光源１１は、たとえば、ＬＥＤ（Ｌｉｇｈｔ  Ｅｍｉｔｔｉｎｇ  Ｄｉｏｄｅ）である。この第１光源１１は、前後方向で、第１導光部材１２に隣接するように配置されており、第１導光部材１２に形成された後述の入射面１８ａに向かって光を出射する。
【００２４】
第１導光部材１２は、図２および図３に示すように、前後方向を長手方向とする細長い略直方体状に形成されたケース体１８と、前後方向を長手方向とする細長いブロック状に形成され、ケース体１８に収納される導光体１９とを備えている。
【００２５】
ケース体１８は、第１光源１１からの光が入射される第１入射部としての入射面１８ａと、拡散光を出射する第１出射部としての出射面１８ｂとを備えている。入射面１８ａは、ケース体１８の前後方向のいずれかの側面に形成されている。また、出射面１８ｂは、ケース体１８の上端側かつ下流側の角部に斜面状に形成されている。すなわち、本形態の第１導光部材１２は、下流側へ向かう斜め上方へ拡散光を出射する。また、本形態のケース体１８は、白色の樹脂部材で形成されるとともに、入射面１８ａおよび出射面１８ｂの形成位置には開口部が形成されている。入射面１８ａおよび出射面１８ｂは、この開口部に透明な樹脂板またはガラス板が取り付けられることで形成されている。
【００２６】
なお、ケース体１８はクリーム色の樹脂部材で形成されても良い。また、ケース体１８が透明な樹脂部材で形成され、入射面１８ａおよび出射面１８ｂを除く表面に白色の塗料が被覆されても良い。また、入射面１８ａおよび出射面１８ｂを除く表面に被覆される塗料はクリーム色であっても良い。
【００２７】
導光体１９は、アクリルやポリカーボネート等の透明な樹脂部材で形成されている。この導光体１９には、図３に示すように、複数の拡散反射部（乱反射部）１９ａが形成されている。この導光体１９では、ケース体１８の入射面１８ａ側に配置される側面１９ｂから入射された光は、出射面１８ｂから拡散光として出射されるように、拡散反射部１９ａで拡散される。
【００２８】
なお、第１導光部材１２を導光体１９のみで構成しても良い。また、ケース体１８の内部に第１光源１１が配置されても良い。
【００２９】
第１受光素子１３は、ＣＣＤ（Ｃｈａｒｇｅ  Ｃｏｕｐｌｅｄ  Ｄｅｖｉｃｅ）やＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）等の撮像素子である。この第１受光素子１３は、図１等に示すように、第１導光部材１２よりも下流側に配置されている。また、本形態では、図２に示すように、複数の第１受光素子１３が前後方向に所定の間隔で配置されている。
【００３０】
第１レンズ１４は、図１、図２に示すように、複数の第１受光素子１３のそれぞれの上方に配置されている。この第１レンズ１４は、媒体２で反射される反射光の焦点位置が第１受光素子１３となるように、反射光の光路上に配置されている。
【００３１】
第１反射防止部材１５は、薄いシート状の樹脂部材によって形成されている。本形態の第１反射防止部材１５は、黒色のシート状部材である。また、第１反射防止部材１５は、第１導光部材１２の上面に固定されている。本形態では、後述のように、第２画像センサ６を構成する第２導光部材２２から出射される拡散光の出射方向に第１導光部材１２が配置されている。具体的には、第２導光部材２２から出射される拡散光の出射方向に第１導光部材１２の上面が配置されている。すなわち、第１反射防止部材１５は、第２導光部材２２から第１導光部材１２へ向かう拡散光の光路上に配置されており、第２導光部材２２からの拡散光が第１導光部材１２の上面で反射されるのを防止する機構を果たしている。
【００３２】
第２画像センサ６は、第１画像センサ５と同様に構成されている。すなわち、第２画像センサ６は、第１光源１１、第１導光部材１２、第１受光素子１３、第１レンズ１４、第１反射防止部材１５、第１筐体１６および第１カバー部材１７にそれぞれ相当する第２光源（図示省略）、第２導光部材２２、第２受光素子２３、第２レンズ２４、第２反射防止部材２５、第２筐体２６および第２カバー部材２７とを備えている。そのため、第２画像センサ６の詳細な構成の説明は省略する。また、第２画像センサ６は、第１画像センサ５を上下方向に反転させるとともに、搬送方向に反転させた状態で、第１画像センサ５の上方に配置されている。
【００３３】
なお、図１に示す第２導光部材２２のケース体２８は、第１導光部材１２のケース体１８に相当する。また、拡散光を出射するケース体２８の第２出射部としての出射面２８ｂは、ケース体１８の出射面１８ｂに相当し、第２導光部材２２は、上流側へ向かう斜め下方へ拡散光を出射する。さらに、ケース体２８は、第２光源（図示省略）からの光が入射される第２入射部としての入射面（図示省略）を、ケース体１８の入射面１８ａに相当する構成として備えている。また、本形態の第２カバー部材２７は、第２導光部材２２から出射される拡散光および第２受光素子２３へ向かう媒体２での反射光を透過する第２透光部材である。
【００３４】
上述のように、第１画像センサ５と第２画像センサ６とは、搬送路３を挟んだ状態で対向配置されている。より具体的には、図１に示すように、上下方向で、第１レンズ１４を介して第１受光素子１３と第２導光部材２２の下面とが対向し（すなわち、第１受光素子１３と第２導光部材２２の下面に固定された第２反射防止部材２５とが対向し）、かつ、第２レンズ２４を介して第２受光素子２３と第１導光部材１２の上面とが対向するように（すなわち、第２受光素子２３と第１反射防止部材１５とが対向するように）、第１画像センサ５と第２画像センサ６とが配置されている。
【００３５】
また、第２導光部材２２から出射される拡散光の出射方向に第１導光部材１２の上面が配置され、第１導光部材１２から出射される拡散光の出射方向に第２導光部材２２の下面配置されるように、第１画像センサ５と第２画像センサ６とが配置されている。そのため、上述のように、第１反射防止部材１５は、第２導光部材２２から第１導光部材１２へ向かう拡散光の光路上に配置され、第２反射防止部材２５は、第１導光部材１２から第２導光部材２２へ向かう拡散光の光路上に配置されている。
【００３６】
以上のように構成された媒体読取装置１は、搬送ローラ組４で媒体２を搬送しながら、たとえば、第１画像センサ５および第２画像センサ６によって、媒体２の両面の画像を読み取る。また、媒体読取装置１は、搬送ローラ組４で媒体２を搬送しながら、第１画像センサ５または第２画像センサ６のいずれか一方によって、媒体２の片面の画像を読み取っても良い。
【００３７】
（本形態の主な効果）
以上説明したように、本形態の画像読取装置１では、第２導光部材２２の上流側に配置される第２受光素子２３と第１導光部材１２とが対向し、第１導光部材１２の下流側に配置される第１受光素子１３と第２導光部材２２とが対向するように、第１画像センサ５と第２画像センサ６とが配置されている。そのため、本形態では、搬送方向で、画像読取装置１の小型化を図ることができる。
【００３８】
本形態では、第１導光部材１２の入射面１８ａと出射面１８ｂを除く表面は白色であり、第２導光部材２２の入射面（図示省略）と出射面２８ｂとを除く表面は白色である。そのため、第１導光部材１２および第２導光部材２２内部での光の拡散反射量を増加させて、第１導光部材１２および第２導光部材２２が出射する拡散光の光量を確保できる。
【００３９】
また、本形態の画像読取装置１では、第１画像センサ５は、第２導光部材２２から第１導光部材１２へ向かう拡散光の光路上に配置される第１反射防止部材１５を備え、第２画像センサ６は、第１導光部材１２から第２導光部材２２へ向かう拡散光の光路上に配置される第２反射防止部材２５を備えている。したがって、第１導光部材１２および第２導光部材２２が出射する拡散光の光量を確保するために、第１導光部材１２の入射面１８ａと出射面１８ｂを除く表面および第２導光部材２２の入射面と出射面２８ｂとを除く表面が白色とされる場合であって、かつ、装置の小型化を図るために、第１導光部材１２が、第２導光部材２２から出射される拡散光の出射方向に配置され、第２導光部材２２が、第１導光部材１２から出射される拡散光の出射方向に配置される場合であっても、第１導光部材１２から出射された拡散光の第２導光部材２２での反射、および、第２導光部材２２から出射され拡散光の第１導光部材１２での反射を防止することができる。その結果、本形態では、第１画像センサ５および第２画像センサ６で、白色系の媒体２の端部を適切に検出し、正確な読取画像の切出しを行うことができる。すなわち、本形態では、白色系の媒体２の画像を適切に読み取ることができる。
【００４０】
本形態では、第１反射防止部材１５および第２反射防止部材２５は、黒色のシート状部材である。そのため、第１導光部材１２の上面および第２導光部材２２の下面にシート状部材を配置するといった簡易な構成で、媒体２の画像を適切に読み取ることができる。また、第１反射防止部材１５および第２反射防止部材２５が黒色であるため、白色系の媒体２の端部を明確に検出し、正確な読取画像の切出しを行うことができる。
【００４１】
（他の実施の形態）
上述した形態は、本発明の好適な形態の一例ではあるが、これに限定されるものではなく本発明の要旨を変更しない範囲において種々変形実施が可能である。たとえば、上述した形態では、第１反射防止部材１５を、第２導光部材２２からの拡散光が第１導光部材１２の上面で反射されるのを防止する第１反射防止部としている。この他にもたとえば、図４に示す第１画像センサ５５のように、第１反射防止部材１５に代えて、第１筐体６６の上面側に形成され第１カバー部材（第１透光部材）６７を固定する第１固定部６６ａを、第１導光部材１２の上面と対向するように形成し、この第１固定部６６ａを第１反射防止部としても良い。この場合には、少なくとも第１固定部６６ａの上面をたとえば黒色にすれば良い。
【００４２】
このように構成すると、第１カバー部材６７を固定する第１固定部６６ａを利用して、第２導光部材２２から出射された拡散光の第１導光部材１２での反射を防止できる。なお、図４では、上述した形態の構成と同一の構成には同一の符号を付している。
【００４３】
また、第２画像センサを第１画像センサ５５と同様に構成しても良い。すなわち、第２画像センサを構成する第２筐体の下面側に形成され第２カバー部材（第２透光部材）を固定する第２固定部を、第２導光部材２２の下面と対向するように形成し、この第２固定部を、第１導光部材１２からの拡散光が第２導光部材２２の下面で反射されるのを防止する第２反射防止部としても良い。この場合には、少なくとも第２固定部の下面をたとえば黒色にすれば良い。
【００４４】
また、第１反射防止部材１５、第２反射防止部材２５に代えて、第１導光部材１２の上面、第２導光部材２２の下面に、黒色の塗料を被覆し、あるいは、黒色の部材を蒸着して、黒色塗料の被覆部あるいは黒色部材の蒸着部を第１反射防止部、第２反射防止部としても良い。また、第１反射防止部材１５、第２反射防止部材２５に代えて、第１カバー部材１７の、第１導光部材１２の上面との対向部分、第２カバー部材２７の、第２導光部材２２の下面との対向部分に、黒色の塗料を被覆し、あるいは、黒色の部材を蒸着して、黒色塗料の被覆部あるいは黒色部材の蒸着部を第１反射防止部、第２反射防止部としても良い。さらに、第１反射防止部材１５、第２反射防止部材２５に代えて、第１カバー部材１７と第１導光部材１２の上面との間、第２カバー部材２７と第２導光部材２２の下面との間に、たとえば、黒色の樹脂部材を配置して、この樹脂部材を第１反射防止部、第２反射防止部としても良い。
【００４５】
上述した形態では、第１反射防止部材１５、第２反射防止部材２５は、黒色のシート状部材である。第１反射防止部材１５、第２反射防止部材２５の色は、黒色には限定されず、白色系の媒体２に対してコントラストがとれる灰色等の暗い色であれば良い。同様に、第１固定部６６ａの上面等は、白色系の媒体２に対してコントラストがとれる灰色等の暗い色であれば良いし、第１導光部材１２の上面等に被覆される塗料あるいは蒸着される部材は、白色系の媒体２に対してコントラストがとれる灰色等の暗い色であれば良い。
【００４６】
上述した形態では、第１画像センサ５と第２画像センサ６とは同一の構成を備えている。この他にもたとえば、搬送路３を夾んで対向配置される第１画像センサの構成と、第２画像センサの構成とが相違しても良い。
【図面の簡単な説明】
【００４７】
【図１】本発明の実施の形態にかかる画像取込装置の概略構成を側面から示す図である。
【図２】図１に示す第１画像センサの内部の概略構成を上面から示す図である。
【図３】図１に示す第１導光部材の内部構成を説明するための概念図である。
【図４】本発明の他の実施の形態にかかる第１画像センサの概略構成を側面から示す図である。
【符号の説明】
【００４８】
１  画像読取装置
２  媒体
３  搬送路
５、５５  第１画像センサ
６  第２画像センサ
１１  第１光源
１２  第１導光部材
１３  第１受光素子
１５  第１反射防止部材（第１反射防止部）
１８  ケース体
１８ａ  入射面（第１入射部）
１８ｂ  出射面（第１出射部）
２２  第２導光部材
２３  第２受光素子
２５  第１反射防止部材（第１反射防止部）
２８  ケース体
２８ｂ  出射面（第２出射部）
６６  第１筐体
６６ａ  第１固定部
６７  第１カバー部材（第１透光部材）
【図１】
2008135903.tif 000003
【図２】
2008135903.tif 000004
【図３】
2008135903.tif 000005
【図４】
2008135903.tif 000006